(57)【要約】【課題】  本発明の目的とするところは、カーソルがアイコンを基準に予め設定された領域内に位置する場合、カーソルを除去し、アイコンの表示状態を変更することで、グラフィック演算処理の作業量を軽減すると同時にユーザに直観的なＵＩを提供するディスプレイ装置及びその制御方法を提供することにある。【解決手段】  ディスプレイ装置及びその制御方法が提供される。入力装置によって制御されるディスプレイ装置の制御方法は、カーソル及び選択可能なアイコンをディスプレイし、入力装置を通じて入力されたユーザ操作に応じてカーソルを移動し、カーソルがアイコンの位置を基準に予め設定された領域内に移動されると、カーソルを除去し、前記アイコンの表示状態を変更する。それにより、ディスプレイ装置は、グラフィック演算処理の無駄な作業量を軽減することができ、ユーザに直観的なＵＩを提供することができるようになる。【選択図】      図１
2014035772.tif 000002
【特許請求の範囲】
【請求項１】
入力装置によって制御されるディスプレイ装置の制御方法において、
カーソル及び選択可能なアイコンをディスプレイするステップと、
前記入力装置を通じて入力されたユーザ操作に応じてカーソルを移動するステップと、
前記カーソルが前記アイコンの位置を基準に予め設定された領域内に移動されると、前記カーソルを除去し、前記アイコンの表示状態を変更するステップと
を含む制御方法。
【請求項２】
前記変更するステップは、
前記カーソルが前記アイコンの位置を基準に予め設定された領域内に移動されると、前記カーソルを除去しつつ、前記アイコンにハイライトを表示することを特徴とする請求項１に記載の制御方法。
【請求項３】
複数のアイコンがディスプレイされた場合、
前記入力装置を通じて再度ユーザ操作が入力されると、前記再度入力されたユーザ操作に応じて、前記アイコンのハイライトを前記複数のアイコンのうちの別のアイコンに移動するステップを含むことを特徴とする請求項２に記載の制御方法。
【請求項４】
前記入力装置が絶対マッピング方式の入力装置である場合、
前記移動するステップは、
前記絶対マッピング方式の入力装置に入力されたユーザ操作の入力地点に対応するアイコンに前記ハイライトを移動することを特徴とする請求項３に記載の制御方法。
【請求項５】
前記入力装置が相対マッピング方式の入力装置である場合、
前記移動するステップは、
前記相対マッピング方式の入力装置に入力されたユーザ操作の方向に応じて前記ハイライトを別のアイコンに移動することを特徴とする請求項３に記載の制御方法。
【請求項６】
前記入力装置が相対マッピング方式の入力装置である場合、
前記入力装置を通じて前記ハイライトされたアイコンからアイコンのない領域への方向を保持するユーザ操作が入力されると、前記ハイライトをカーソルに変更するステップを含むことを特徴とする請求項２に記載の制御方法。
【請求項７】
前記入力装置が絶対マッピング方式の入力装置である場合、
前記入力装置を通じて前記複数のアイコン以外の領域へのユーザ操作が入力されると、前記ハイライトを前記ユーザ操作の入力された地点のカーソルに変更するステップを含むことを特徴とする請求項２に記載の制御方法。
【請求項８】
前記カーソルに変更するステップは、
前記ハイライトされたアイコンから前記ユーザ操作の入力された地点まで連続的に移動されるアニメーション効果を保持しつつ、前記ハイライトを前記カーソルに変更することを特徴とする請求項７に記載の制御方法。
【請求項９】
入力装置によって制御されるディスプレイ装置において、
カーソル及び選択可能なアイコンをディスプレイするディスプレイ部と、
前記入力装置を通じて入力されたユーザ操作に応じて前記ディスプレイされたカーソルを移動し、前記カーソルが前記アイコンの位置を基準に予め設定された領域内に移動されると、前記カーソルを除去し、前記アイコンの表示状態を変更するように前記ディスプレイ部を制御する制御部と
を含むディスプレイ装置。
【請求項１０】
前記制御部は、
前記カーソルが前記アイコンの位置を基準に予め設定された領域内に移動されると、前記カーソルを除去しつつ、前記アイコンにハイライトを表示するように前記ディスプレイ部を制御することを特徴とする請求項９に記載のディスプレイ装置。
【請求項１１】
複数のアイコンがディスプレイされた場合、
前記制御部は、
前記入力装置を通じて再度ユーザ操作が入力されると、前記再度入力されたユーザ操作に応じて、前記アイコンのハイライトを前記複数のアイコンのうちの別のアイコンに移動するように前記ディスプレイ部を制御することを特徴とする請求項１０に記載のディスプレイ装置。
【請求項１２】
前記入力装置が絶対マッピング方式の入力装置である場合、
前記制御部は、
前記絶対マッピング方式の入力装置に入力されたユーザ操作の入力地点に対応するアイコンに前記ハイライトを移動するように前記ディスプレイ部を制御することを特徴とする請求項１１に記載のディスプレイ装置。
【請求項１３】
前記入力装置が相対マッピング方式の入力装置である場合、
前記制御部は、
前記相対マッピング方式の入力装置に入力されたユーザ操作の方向に応じて前記ハイライトを別のアイコンに移動するように前記ディスプレイ部を制御することを特徴とする請求項１１に記載のディスプレイ装置。
【請求項１４】
前記入力装置が相対マッピング方式の入力装置である場合、
前記制御部は、
前記入力装置を通じて前記ハイライトされたアイコンからアイコンのない領域への方向を保持するユーザ操作が入力されると、前記ハイライトをカーソルに変更するように前記ディスプレイ部を制御することを特徴とする請求項１１に記載のディスプレイ装置。
【請求項１５】
前記入力装置が絶対マッピング方式の入力装置である場合、
前記制御部は、
前記入力装置を通じて前記複数のアイコン以外の領域へのユーザ操作が入力されると、前記ハイライトを前記ユーザ操作の入力された地点のカーソルに変更するように前記ディスプレイ部を制御することを特徴とする請求項１１に記載のディスプレイ装置。
【発明の詳細な説明】
【技術分野】
【０００１】
本発明は、ディスプレイ装置及びその制御方法に関し、より詳細には、カーソル及び選択可能なアイコンがディスプレイされた場合、カーソル及びアイコンの表示状態を制御するためのディスプレイ装置及びその制御方法に関する。
【背景技術】
【０００２】
近来は、一つのディスプレイ装置を通じて多様な機能を提供している。例えば、スマートテレビには従来の放送受信機能だけでなく、インターネット検索機能、通信機能等のような多様な機能が提供されている。特に、ディスプレイ装置は、入力装置によって制御されるカーソル及び少なくとも一つのアイコンを用いて多様な機能を提供している。
【０００３】
しかし、従来は、入力装置を通じて入力されたユーザ操作によって移動されたカーソルが一つのアイコンに位置する場合、ディスプレイ装置はカーソルをディスプレイしつつ、カーソルの位置しているアイコンの表示状態を変更（例えば、ハイライト表示）してきた。すなわち、従来は、アイコンを選択するための目的の２通りのＧＵＩ（ハイライト表示及びカーソル）を同時にディスプレイしていた。
【０００４】
同様の目的のＧＵＩが重畳してディスプレイされることで、ディスプレイ装置は無駄なグラフィック演算処理によって作業量が増大するという問題点が存在していた。
【先行技術文献】
【特許文献】
【０００５】
【特許文献１】韓国特開第２００４−０１７８３２号公報
【特許文献２】日本特開第２０１１−２４３０７０号公報
【特許文献３】米国登録特許第７４８７５２８号
【特許文献４】韓国特開第２０１０−０５７８８８号公報
【発明の概要】
【発明が解決しようとする課題】
【０００６】
そこで、本発明は、上記問題に鑑みてなされたものであり、本発明の目的とするところは、カーソルがアイコンを基準に予め設定された領域内に位置する場合、カーソルを除去し、アイコンの表示状態を変更することで、グラフィック演算処理の作業量を軽減すると同時にユーザに直観的なＵＩを提供するディスプレイ装置及びその制御方法を提供することにある。
【課題を解決するための手段】
【０００７】
前記目的を達成するための本発明の一実施形態に係る入力装置によって制御されるディスプレイ装置の制御方法は、カーソル及び選択可能なアイコンをディスプレイするステップと、前記入力装置を通じて入力されたユーザ操作に応じてカーソルを移動するステップと、前記カーソルが前記アイコンの位置を基準に予め設定された領域内に移動されると、前記カーソルを除去し、前記アイコンの表示状態を変更するステップとを含む。
【０００８】
そして、前記変更するステップは、前記カーソルが前記アイコンの位置を基準に予め設定された領域内に移動されると、前記カーソルを除去しつつ、前記アイコンにハイライトを表示してよい。
【０００９】
なお、複数のアイコンがディスプレイされた場合、前記入力装置を通じて再度ユーザ操作が入力されると、前記再度入力されたユーザ操作に応じて、前記アイコンのハイライトを前記複数のアイコンのうちの別のアイコンに移動するステップを含んでよい。
【００１０】
そして、前記入力装置が絶対マッピング方式の入力装置である場合、前記移動するステップは、前記絶対マッピング方式の入力装置に入力されたユーザ操作の入力地点に対応するアイコンに前記ハイライトを移動してよい。
【００１１】
なお、前記入力装置が相対マッピング方式の入力装置である場合、前記移動するステップは、前記相対マッピング方式の入力装置に入力されたユーザ操作の方向に応じて前記ハイライトを別のアイコンに移動してよい。
【００１２】
そして、前記入力装置が相対マッピング方式の入力装置である場合、前記入力装置を通じて前記ハイライトされたアイコンからアイコンのない領域への方向を保持するユーザ操作が入力されると、前記ハイライトをカーソルに変更するステップを含んでよい。
【００１３】
なお、前記入力装置が絶対マッピング方式の入力装置である場合、前記入力装置を通じて前記複数のアイコン以外の領域へのユーザ操作が入力されると、前記ハイライトを前記ユーザ操作の入力された地点のカーソルに変更するステップを含んでよい。
【００１４】
そして、前記カーソルに変更するステップは、前記ハイライトされたアイコンから前記ユーザ操作の入力された地点まで連続的に移動されるアニメーション効果を保持しつつ、前記ハイライトを前記カーソルに変更してよい。
【００１５】
一方、前記目的を達成するための本発明の一実施形態に係る入力装置によって制御されるディスプレイ装置は、カーソル及び選択可能なアイコンをディスプレイするディスプレイ部と、前記入力装置を通じて入力されたユーザ操作に応じて前記ディスプレイされたカーソルを移動し、前記カーソルが前記アイコンの位置を基準に予め設定された領域内に移動されると、前記カーソルを除去し、前記アイコンの表示状態を変更するように前記ディスプレイ部を制御する制御部とを含む。
【００１６】
そして、前記制御部は、前記カーソルが前記アイコンの位置を基準に予め設定された領域内に移動されると、前記カーソルを除去しつつ、前記アイコンにハイライトを表示するように前記ディスプレイ部を制御してよい。
【００１７】
なお、複数のアイコンがディスプレイされた場合、前記制御部は、前記入力装置を通じて再度ユーザ操作が入力されると、前記再度入力されたユーザ操作に応じて、前記アイコンのハイライトを前記複数のアイコンのうちの別のアイコンに移動するように前記ディスプレイ部を制御してよい。
【００１８】
そして、前記入力装置が絶対マッピング方式の入力装置である場合、前記制御部は、前記絶対マッピング方式の入力装置に入力されたユーザ操作の入力地点に対応するアイコンに前記ハイライトを移動するように前記ディスプレイ部を制御してよい。
【００１９】
なお、前記入力装置が相対マッピング方式の入力装置である場合、前記制御部は、前記相対マッピング方式の入力装置に入力されたユーザ操作の方向に応じて前記ハイライトを別のアイコンに移動するように前記ディスプレイ部を制御してよい。
【００２０】
そして、前記入力装置が相対マッピング方式の入力装置である場合、前記制御部は、前記入力装置を通じて前記ハイライトされたアイコンからアイコンのない領域への方向を保持するユーザ操作が入力されると、前記ハイライトをカーソルに変更するように前記ディスプレイ部を制御してよい。
【００２１】
なお、前記入力装置が絶対マッピング方式の入力装置である場合、前記制御部は、前記入力装置を通じて前記複数のアイコン以外の領域へのユーザ操作が入力されると、前記ハイライトを前記ユーザ操作の入力された地点のカーソルに変更するように前記ディスプレイ部を制御してよい。
【００２２】
そして、前記制御部は、前記入力装置を通じて前記複数のアイコン以外の領域へのユーザ操作が入力された場合、前記ハイライトされたアイコンから前記ユーザ操作の入力された地点まで連続的に移動されるアニメーション効果を保持しつつ、前記ハイライトを前記カーソルに変更してよい。
【発明の効果】
【００２３】
以上説明したように、本発明によれば、ディスプレイ装置はグラフィック演算処理の無駄な作業量を軽減することができ、ユーザに直観的なＧＵＩを提供することができるようになる。
【図面の簡単な説明】
【００２４】
【図１】本発明の一実施形態に係るディスプレイ装置の構成を概略的に示す図である。
【図２】本発明の別の実施形態に係るディスプレイ装置の構成を具体的に示す図である。
【図３】本発明の一実施形態に係る保存部に保存されたプログラムの構成を示す図である。
【図４】本発明の一実施形態に係るカーソルをハイライトに変更する実施形態を説明するための図である。
【図５】本発明の一実施形態に係る相対マッピング方式の入力装置を用いてハイライトを移動する実施形態を説明するための図である。
【図６】本発明の一実施形態に係る絶対マッピング方式の入力装置を用いてハイライトを移動する実施形態を説明するための図である。
【図７】本発明の一実施形態に係る相対マッピング方式の入力装置を用いてハイライトをカーソルに変更する実施形態を説明するための図である。
【図８】本発明の一実施形態に係る絶対マッピング方式の入力装置を用いてハイライトをカーソルに変更する実施形態を説明するための図である。
【図９】本発明の一実施形態に係るカーソルをハイライトに変更する方法を説明するためのフローチャートである。
【図１０】本発明の別の実施形態に係る絶対マッピング方式の入力装置を用いてカーソルを移動する第１実施形態を説明するための図である。
【図１１】本発明の別の実施形態に係る絶対マッピング方式の入力装置を用いてカーソルを移動する第２実施形態を説明するための図である。
【発明を実施するための形態】
【００２５】
以下に添付図面を参照しながら、本発明の好適な実施形態について詳細に説明する。
【００２６】
図１は、本発明の一実施形態に係るディスプレイ装置の構成を概略的に示す図である。図１に示すように、ディスプレイ装置１００は、ディスプレイ部１１０及び制御部１２０を含む。このとき、ディスプレイ装置１００は、スマートテレビであってよいが、それは一実施形態に過ぎず、モニタ、プロジェクタ、タブレットパソコン等のような多様なディスプレイ装置で実現されてよい。特に、ディスプレイ装置１００は、図１に示すように、入力装置１３０に入力されたユーザ操作に応じて制御されてよい。
【００２７】
入力装置１３０は、ユーザ操作を受信し、ユーザ操作に対応する制御命令をディスプレイ装置１００に伝送することができる。特に、入力装置１３０は、ユーザ操作に応じてカーソルを移動させる制御命令及びアイコンを選択する制御命令等を生成してディスプレイ装置１００に伝送することができる。
【００２８】
このとき、入力装置１３０は、相対マッピング方式の入力装置または絶対マッピング方式の入力装置で実現されてよい。具体的に、相対マッピング方式の入力装置は、入力装置の動き変化に応じてカーソルを移動させる入力装置として、ポインティングデバイス、マウス等で実現されてよい。なお、絶対マッピング方式の入力装置は、入力装置に入力されたユーザの操作地点に対応するようにディスプレイ部１３０の地点にカーソルを移動させる入力装置として、タッチスクリーンを具備するモバイルデバイス等で実現されてよい。
【００２９】
なお、入力装置１３０は、ディスプレイ装置１００の外部に備えられ、ディスプレイ装置１００と有／無線で接続される形態で実現されてよいが、それは一実施形態に過ぎず、ディスプレイ装置１００内に備えられてよい。例えば、入力装置１３０は、ディスプレイ装置１００内に備えられたタッチスクリーンで実現されてよい。
【００３０】
ディスプレイ部１１０は、制御部１２０の制御に応じて、映像データ及びＧＵＩ（Ｇｒａｐｈｉｃ  Ｕｓｅｒ  Ｉｎｔｅｒｆａｃｅ）のうち少なくとも一つをディスプレイする。特に、ディスプレイ部１１０は、入力装置１３０によって移動可能なカーソル及び選択可能な少なくとも一つのアイコンをディスプレイすることができる。
【００３１】
制御部１２０は、入力装置１３０によって入力されたユーザ操作に応じてディスプレイ装置１００を制御する。特に、制御部１２０は、入力装置１３０を介して入力されたユーザ操作に応じてディスプレイ部１１０にディスプレイされたカーソルを移動させることができる。なお、カーソルが少なくとも一つのアイコンのうちの一つの位置を基準に予め設定された領域内に移動されると、制御部１２０はカーソルを除去し、カーソルの位置しているアイコンの表示状態を変更することができる。
【００３２】
具体的に、カーソル及び少なくとも一つのアイコンがディスプレイ部１１０にディスプレイされた状態で、入力装置１３０を介してカーソルの移動のためのユーザ操作が入力された場合、制御部１２０は入力されたユーザ操作に対応する座標値を算出し、算出された座標値にディスプレイ部１１０にディスプレイされたカーソルを移動させることができる。
【００３３】
そして、制御部１２０は、ユーザ操作に応じてカーソルを移動する途中に、第１アイコンを基準に予め設定された領域内に含まれたと判断することができる。
【００３４】
そして、カーソルが第１アイコンを基準に予め設定された領域内に含まれたと判断されると、制御部１２０はカーソルを除去し、第１アイコンの表示状態を変更するようにディスプレイ部１１０を制御することができる。例えば、カーソルが第１アイコンを基準に予め設定された領域内に含まれると判断されると、制御部１２０はカーソルを次第に消えるようにし、第１アイコンにハイライトを漸進的に表示することができる。
【００３５】
一方、第１アイコンをハイライトで表示することで、第１アイコンの表示状態を変更することは一実施形態に過ぎず、第１アイコンを点滅するように表示したり、第１アイコンの色、形、大きさ及び透明度のうち、少なくとも一つを変更する実施形態も本発明の技術的思想に含まれてよい。
【００３６】
上述のように、カーソルがアイコンに位置する場合、カーソルを除去し、アイコンの表示状態を変更することで、ディスプレイ装置はカーソルをディスプレイするためのグラフィック演算処理量を軽減することができ、ユーザにより直観的なＵＩを提供することができるようになる。
【００３７】
図２は、本発明の別の実施形態に係るディスプレイ装置の構成を具体的に示す図である。図２に示すように、ディスプレイ装置２００は、ディスプレイ部２１０と、制御部２２０と、通信部２４０と、映像受信部２５０と、スピーカ２６０と、保存部２７０と、オーディオ処理部２８０及びビデオ処理部２９０を含む。このとき、ディスプレイ装置２００は、入力装置２３０に入力されたユーザ操作によって制御されてよい。
【００３８】
一方、図２は、ディスプレイ装置１００が、通信機能、放送受信機能、動画再生機能、ディスプレイ機能等のように多様な機能を備えた装置である場合を例えて、各種構成要素を総合的に示したものである。よって、実施形態によっては、図２に示す構成要素の一部は省略または変更されてよく、別の構成要素が更に追加されてよい。
【００３９】
ディスプレイ部２１０は、映像受信部２５０から受信した映像データをビデオ処理部２９０で処理したビデオフレーム及びグラフィック処理部２２３から生成された多様な画面のうち少なくとも一つをディスプレイする。特に、ディスプレイ部２１０は、グラフィック処理部２２３によって生成されたカーソル及び少なくとも一つのアイコンをディスプレイすることができる。
【００４０】
通信部２４０は、多様な通信方式によって多様な外部機器と通信を行う構成である。通信部２４０は、Ｗｉ−Ｆｉチップ、ブルートゥースチップ、ＮＦＣチップ、無線通信チップ等のような多様な通信チップを含んでよい。このとき、Ｗｉ−Ｆｉチップや、ブルートゥースチップ、ＮＦＣチップは、それぞれ、Ｗｉ−Ｆｉ方式、ブルートゥース方式、ＮＦＣ方式で通信を行う。その中、ＮＦＣチップは、１３５ｋＨｚ、１３.５６ＭＨｚ、４３３ＭＨｚ、８６０〜９６０ＭＨｚ、２.４５ＧＨｚ等のような多様なＲＦ−ＩＤ周波数帯域のうち、１３.５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。Ｗｉ−Ｆｉチップやブルートゥースチップを利用する場合には、ＳＳＩＤおよびセッションキー等のような各種接続情報を先に送受信し、それを用いて通信接続した後、各種情報を送受信することができる。無線通信チップは、ＩＥＥＥ、Ｚｉｇｂｅｅ（登録商標）、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な通信規格に応じて通信を行うチップを意味する。
【００４１】
映像受信部２５０は、多様なソースを通じて映像データを受信する。例えば、映像受信部２５０は、外部の放送局から放送データを受信することができ、外部装置（例えば、ＤＶＤ装置）から映像データを受信することができる。
【００４２】
スピーカ２６０は、オーディオ処理部２８０で処理された各種オーディオデータだけでなく、各種報知音や音声データを出力する構成である。
【００４３】
保存部２７０は、ディスプレイ装置２００を駆動するための多様なモジュールを保存する。保存部２７０は、保存されたソフトウェア構成を説明するために図３を参照する。図３によると、保存部２７０には、ベースモジュール２７１と、センシングモジュール２７２と、通信モジュール２７３と、プレゼンテーションモジュール２７４と、ウェブブラウザモジュール２７５及びサービスモジュール２７６を含むソフトウェアが保存されてよい。
【００４４】
ベースモジュール２７１とは、ディスプレイ装置２００に含まれた各ハードウェアから伝達される信号を処理して上位レイヤモジュールに伝達する基礎モジュールを意味する。ベースモジュール２７１は、ストレージモジュール２７１−１、セキュリティモジュール２７１−２及びネットワークモジュール２７１−３等を含む。ストレージモジュール２７１−１とは、データベース（ＤＢ）やレジストリを管理するプログラムモジュールである。メインＣＰＵ２２４は、ストレージモジュール２７１−１を用いて保存部２７０内のデータベースにアクセスし、各種データを読み取ることができる。セキュリティモジュール２７１−２とは、ハードウェアに対する認証（Ｃｅｒｔｉｆｉｃａｔｉｏｎ）、要求許容（Ｐｅｒｍｉｓｓｉｏｎ）、セキュリティ保存（Ｓｅｃｕｒｅ  Ｓｔｏｒａｇｅ）等をサポートするプログラムモジュールであり、ネットワークモジュール２７１−３とは、ネットワーク接続をサポートするためのモジュールとして、ＤＮＥＴモジュールやＵｐｎＰモジュール等を含む。
【００４５】
センシングモジュール２７２とは、各種センサから情報を収集し、収集された情報を分析及び管理するモジュールである。センシングモジュール２７２は、顔認識モジュール、音声認識モジュール、ＮＦＣ認識モジュール等を含んでよい。
【００４６】
通信モジュール２７３は、外部との通信を行うためのモジュールである。通信モジュール２７３は、メッセンジャープログラム、ＳＭＳ（Ｓｈｏｒｔ  Ｍｅｓｓａｇｅ Ｓｅｒｖｉｃｅ）＆ＭＭＳ（Ｍｕｌｔｉｍｅｄｉａ  Ｍｅｓｓａｇｅ  Ｓｅｒｖｉｃｅ）プログラム、Ｅメールプログラム等のようなメッセージングモジュール２７３−１、電話情報収集機（Ｃａｌｌ  Ｉｎｆｏ  Ａｇｇｒｅｇａｔｏｒ）プログラムモジュール、ＶｏＩＰモジュール等を含む電話モジュール２７３−２を含んでよい。
【００４７】
プレゼンテーションモジュール２７４は、ディスプレイ画面を構成するためのモジュールである。プレゼンテーションモジュール２７４は、マルチメディアコンテンツを再生して出力するためのマルチメディアモジュール２７４−１と、ＵＩ及びグラフィック処理を行うＵＩレンダリングモジュール２７４−２とを含む。マルチメディアモジュール２７４−１は、プレーヤモジュール、カムコーダモジュール、サウンド処理モジュール等を含んでよい。それにより、各種マルチメディアコンテンツを再生して画面及び音響を生成して再生する動作を行う。ＵＩレンダリングモジュール２７４−２は、イメージを組み合わせるイメージ合成機（Ｉｍａｇｅ  Ｃｏｍｐｏｓｉｔｏｒ  Ｍｏｄｕｌｅ）、イメージをディスプレイする画面上の座標を組み合わせて生成する座標組み合わせモジュール、ハードウェアから各種イベントを受信するＸ１１モジュール、２Ｄまたは３Ｄ形態のＵＩを構成するためのツール（Ｔｏｏｌ）を提供する２Ｄ／３ＤＵＩツールキット等を含んでよい。
【００４８】
ウェブブラウザモジュール２７５は、ウェブブラウジングを行うウェブサーバにアクセスするモジュールを意味する。ウェブブラウザモジュール２７５は、ウェブページを構成するウェブビュー（Ｗｅｂ  ｖｉｅｗ）モジュール、ダウンロードを行うダウンロードエージェントモジュール、ブックマークモジュール、ウェブキット（Ｗｅｂｋｉｔ）モジュール等のような多様なモジュールを含んでよい。
【００４９】
サービスモジュール２７６は、多様なサービスを提供するための各種アプリケーションを含むモジュールである。具体的には、サービスモジュール２７６は、ナビゲーションプログラム、コンテンツ再生プログラム、ゲームプログラム、電子書籍プログラム、カレンダプログラム、アラーム管理プログラム、その他のウィジェット等のような多様なプログラムモジュールを含んでよい。
【００５０】
図３においては、多様なプログラムモジュールを示しているが、図示のような各種プログラムモジュールはディスプレイ装置２００の種類及び特性に応じて一部省略されたり、変更または追加されてよい。仮に、上述のディスプレイ装置１００がタブレットパソコンで実現された場合、ベースモジュール２７１にはＧＰＳ基板の位置を判断するための位置判断モジュールを更に含み、センシングモジュール２７２にはユーザの動作を検知するセンシングモジュールを更に含んでよい。
【００５１】
もう一度図２について説明すると、オーディオ処理部２８０はオーディオデータに対する処理を行う構成要素である。オーディオ処理部２８０では、オーディオデータに対するデコーディングや、増幅、ノイズフィルタリング等のような多様な処理が行われてよい。
【００５２】
ビデオ処理部２９０は、映像受信部２５０で受信した映像データに対する処理を行う構成要素である。ビデオ処理部２９０では映像データに対するデコーディング、スケーリング、ノイズフィルタリング、フレームレート変換、解像度変換等のような多様なイメージ処理を行うことができる。
【００５３】
制御部２２０は、保存部２７０に保存された各種プログラムを用いてディスプレイ装置２００の動作全般を制御する。
【００５４】
制御部２２０は、図２に示すように、ＲＡＭ２２１と、ＲＯＭ２２２と、グラフィック処理部２２３と、メインＣＰＵ２２４と、第１ないしｎインターフェース２２５−１〜２２５−ｎ、バス２２６を含む。このとき、ＲＡＭ２２１と、ＲＯＭ２２２と、グラフィック処理部２２３と、メインＣＰＵ２２４と、第１ないしｎインターフェース２２５−１〜２２５−ｎ等はバス２２６を介して互いに接続されてよい。
【００５５】
ＲＯＭ２２２には、システムブートのための命令語セット等が保存される。ターンオン命令が入力されて電源が供給されると、メインＣＰＵ２２４は、ＲＯＭ２２２に保存された命令語に応じて保存部２７０に保存されたＯ／ＳをＲＡＭ２２１にコピーし、Ｏ／Ｓを実行させてシステムをブートさせる。ブートが完了すると、メインＣＰＵ２２４は、保存部２７０に保存された各種アプリケーションプログラムをＲＡＭ２２１にコピーし、ＲＡＭ２２１にコピーされたアプリケーションプログラムを実行させて各種動作を行う。
【００５６】
グラフィック処理部２２３は、演算部（図示せず）及びレンダリング部（図示せず）を用いてアイコン、イメージ、テキスト等のような多様な客体を含む画面を生成する。演算部は、入力装置２３０から受信された制御命令を用いて画面のレイアウトに沿って各客体が表示される座標値、形、大きさ、カラー等のような属性値を演算する。レンダリング部は、演算部で演算された属性値に基づいて客体を含む多様なレイアウトの画面を生成する。レンダリング部から生成された画面はディスプレイ部２１０のディスプレイ領域内に表示される。
【００５７】
メインＣＰＵ２２４は、保存部２７０にアクセスし、保存部２７０に保存されたＯ／Ｓを用いてブートを行う。そして、メインＣＰＵ２２４は、保存部２７０に保存された各種プログラム、コンテンツ、データ等を用いて多様な動作を行う。
【００５８】
第１ないしｎインターフェース２２５−１〜２２５−ｎは、上述の各種構成要素と接続される。インターフェースのうちの一つは、ネットワークを通じて外部装置と接続されるネットワークインターフェースであってよい。
【００５９】
特に、制御部２２０は、入力装置２３０を介して入力されたユーザ操作に応じてディスプレイされたカーソルを移動させる。そして、カーソルが少なくとも一つのアイコンのうちの第１アイコンの位置を基準に予め設定された領域内に移動されると、制御部２２０はカーソルを除去し、第１アイコンの表示状態を変更するようにディスプレイ部２１０を制御する。
【００６０】
本発明の一実施形態として、カーソルが第１アイコンの位置を基準に予め設定された領域内に移動されると、制御部２３０はカーソルを除去しつつ、第１アイコンにハイライトを表示するようにディスプレイ部２１０を制御してよい。
【００６１】
具体的に、図４の（ａ）に示すように、ディスプレイ部２１０はカーソル４１０と１０のアイコン４２０−１、…、４２０−１０をディスプレイする。そして、入力装置２３０を介して“カーソル４１０を下方に移動せよというユーザ命令”が入力されると、制御部２２０は、図４の（ｂ）に示すように、カーソル４１０を下方に移動させる。このとき、入力装置２３０が相対マッピング方式の入力装置である場合、下方に移動せよというユーザ命令は入力装置２３０を下方に下げるユーザモーションであってよく、入力装置２３０が絶対マッピング方式の入力装置の場合、下方に移動せよというユーザ命令は入力装置２３０のタッチスクリーンを指先でタッチした状態で、下方にドラッグするユーザ命令であってよい。
【００６２】
特に、カーソル４１０が第３アイコン４２０−３を基準に予め設定された領域内に位置する場合、制御部２２０は図４の（ｂ）ないし図４の（ｄ）にディスプレイされたように、カーソル４１０を第３アイコン４２０−３に次第に吸収されるようなアニメーション効果を施しつつ消えるようにディスプレイ部２１０を制御することができる。そして、制御部２２０は、図４の（ｅ）に示すように、カーソル４１０を除去し、第３アイコン４２０−３にハイライトを表示するようにディスプレイ部２１０を制御することができる。
【００６３】
なお、ディスプレイ部２１０に複数のアイコンがディスプレイされた場合、入力装置２３０を介して再度ユーザ操作が入力されると、制御部２２０は再度入力されたユーザ操作に応じてアイコンのハイライトを複数のアイコンのうちの別のアイコンに移動するようにディスプレイ部２１０を制御することができる。
【００６４】
特に、入力装置が相対マッピング方式の入力装置である場合、制御部２２０は相対マッピング方式の入力装置に入力されたユーザ操作の方向に応じてハイライトを別のアイコンに移動するようにディスプレイ部２１０を制御することができる。
【００６５】
具体的に、図５の（ａ）に示すように、第３アイコン５２０−３にハイライトが表示された状態で、相対マッピング方式の入力装置を通じて右方へのユーザ操作が入力された場合、制御部２２０は図５の（ｂ）に示すように、第３アイコン５２０−３の右側に表示された第４アイコン５２０−４をハイライトするようにディスプレイ部２１０を制御することができる。このとき、相対マッピング方式の入力装置がポインティングデバイスの場合、右方へのユーザ操作はポインティングデバイスを右方に回転するモーションであってよい。
【００６６】
特に、制御部２２０は、相対マッピング方式の入力装置に入力されたユーザ操作（例えば、ポインティングデバイスの回転角度）に応じてハイライト表示を移動させることができる。例えば、ポインティングデバイスが１０度ないし２０度右方に回転した場合、制御部２２０は第４アイコン５２０−４にハイライトを移動させ、ポインティングデバイスが２０度ないし４０度回転した場合、制御部２２０は第５アイコン５２０−５にハイライトを移動させることができる。
【００６７】
一方、上述の実施形態においては、相対マッピング方式の入力装置がポインティングデバイスであるとして説明したが、それは一実施形態に過ぎず、マウス等のような他の相対マッピング方式の入力装置で実現されてよい。
【００６８】
なお、入力装置２３０が絶対マッピング方式の入力装置である場合、制御部２２０は、絶対マッピング方式の入力装置に入力されたユーザ操作の入力地点に対応するアイコンにハイライトを移動させるようにディスプレイ部を制御することができる。このとき、絶対マッピング方式の入力装置は、タッチスクリーンを具備するスマートフォンであってよい。なお、タッチスクリーンを具備するスマートフォンがディスプレイ装置２００を制御する入力装置２３０の場合、タッチスクリーンとディスプレイ装置２００のディスプレイ画面が同期化できる。
【００６９】
具体的に、図６の（ａ）に示すように、第３アイコン６２０−３にハイライトが表示された状態で、絶対マッピング方式の入力装置を通じて第４アイコン６２０−４に対応する地点にユーザタッチが入力された場合、制御部２２０は第６の（ｂ）に示すように、ユーザタッチ地点に対応する第４アイコン５２０−４をハイライトするようにディスプレイ部２１０を制御することができる。
【００７０】
なお、制御部２２０は、入力装置２３０に入力されたユーザ操作に応じてアイコンのハイライトを除去し、再びカーソルをディスプレイするようにディスプレイ部２１０を制御することができる。
【００７１】
特に、入力装置が相対マッピング方式の入力装置である場合、入力装置を通じてハイライトされたアイコンからアイコンのない領域への方向を保持するユーザ操作が入力されると、制御部２２０はハイライトをカーソルに変更するようにディスプレイ部２１０を制御することができる。
【００７２】
具体的に、図７の（ａ）に示すように、第８アイコン７２０−８にハイライトが表示された状態で、相対マッピング方式の入力装置を通じて下方のユーザ操作が入力された場合、制御部２２０は、図７の（ｂ）に示すように、第８アイコン７２０−８に表示されたハイライトを除去し、第８アイコン７２０−８の下方にカーソル７１０をディスプレイするようにディスプレイ部２１０を制御することができる。
【００７３】
このとき、制御部２２０は、図４の（ｂ）ないし図４の（ｄ）に示すように、漸進的にハイライトをカーソル７１０に変更することができる。
【００７４】
なお、入力装置が絶対マッピング方式の入力装置である場合、入力装置２３０を介してディスプレイ部２１０にディスプレイされた複数のアイコン以外の領域へのユーザ操作が入力されると、制御部２２０はハイライトをユーザ操作が入力された地点のカーソルに変更するようにディスプレイ部２１０を制御することができる。
【００７５】
具体的に、図８の（ａ）に示すように、第８アイコン８２０−８にハイライトが表示された状態で、絶対マッピング方式の入力装置のタッチスクリーンの左側上段にユーザタッチが入力されると、制御部２２０は、ユーザがタッチした地点にアイコンがないと判断し、図８の（ｂ）に示すように、第８アイコン８２０−８に表示されたハイライトを除去し、ユーザがタッチした地点にカーソル８１０をディスプレイするようにディスプレイ部２１０を制御することができる。
【００７６】
この場合、ユーザがハイライト表示にカーソル８１０に変更する間、カーソル８１０の位置を失う可能性があるため、制御部２２０はハイライトされたアイコンからユーザ操作が入力された地点まで連続的にカーソルが移動されるアニメーション効果を保持しつつ、ハイライトをカーソルに変更することができる。例えば、図８の（ｂ）に示すように、カーソルが次第に大きくなり濃くなるにつれ、ハイライトされたアイコンからユーザタッチが入力された地点まで移動することで、ユーザはカーソル８１０の移動された位置をより簡易に確認することができるだけでなく、エンタテイメント的な要素を増大させることができるようになる。
【００７７】
一方、上述の実施形態においては、カーソルが第１アイコンを基準に予め設定された領域に位置する場合、第１アイコンにハイライトを表示するものとして説明したが、それは一実施形態に過ぎず、第１アイコンを他の方法で表示状態を変更させることができる。例えば、第１アイコンを点滅させたり、第１アイコンの色、大きさ、模様及び透明度のうち、少なくとも一つを変更して第１アイコンの表示状態を変更させることができる。
【００７８】
なお、上述の実施形態においては、入力装置２３０をディスプレイ装置２００の外部に備えられた別途のデバイスとして説明したが、それは一実施形態に過ぎず、入力装置２３０はディスプレイ装置２００内に備えられてよい。例えば、ディスプレイ装置２００のディスプレイ部２１０に具備されたタッチスクリーンで実現されてよい。
【００７９】
なお、上述の実施形態においては、アイコンにハイライト表示を移動させるために、絶対マッピング方式の入力装置または相対マッピング方式の入力装置について説明したが、それは一実施形態に過ぎず、４方向キーを保持するリモコンを用いてハイライト表示を移動させることができる。
【００８０】
上述のように、ディスプレイ画面のＧＵＩをカーソルまたはハイライトのいずれか一方を用いて表示することで、ディスプレイ装置２００はグラフィック演算処理の無駄な作業量を軽減させることができ、ユーザに直観的なＧＵＩを提供することができるようになる。
【００８１】
以下では、図９を参照して、ディスプレイ装置２００の制御方法について詳細に説明する。
【００８２】
まず、ディスプレイ装置２００は、カーソル及び選択可能なアイコンをディスプレイする（Ｓ９１０）。このとき、カーソルは入力装置２３０によって移動可能であり、アイコンは入力装置２３０によって選択可能であってよい。
【００８３】
そして、ディスプレイ装置２００は、ユーザ操作に応じてカーソルを移動させる（Ｓ９２０）。
【００８４】
そして、ディスプレイ装置２００は、移動されたカーソルがアイコンを基準に予め設定された領域内に含まれたか否かを判断する（Ｓ９３０）。
【００８５】
移動されたカーソルがアイコンを基準に予め設定された領域内に含まれた場合、ディスプレイ装置２００はカーソルを除去し、アイコンの表示状態を変更する（Ｓ９４０）。この場合、ディスプレイ装置２００は、図４の（ｂ）ないし図４の（ｄ）に  示すように、カーソルをアイコンのハイライト表示に漸進的に変更させることができる。
【００８６】
上述のようなディスプレイ装置２００の制御方法によって、ディスプレイ装置２００はＧＵＩとしてカーソルまたはハイライトのいずれか一方のみを表示することができるようになり、無駄なグラフィック演算処理量を軽減させることができるようになる。
【００８７】
以下では、図１０及び図１１を参照し、本発明の別の実施形態について説明する。具体的に、絶対マッピング方式の入力装置を用いてカーソルを移動する場合、カーソル移動を表示する方法に係る実施形態について説明する。
【００８８】
ディスプレイ部２１０は、画面内にカーソルをディスプレイする。このとき、カーソルは絶対マッピング方式の入力装置によって移動されてよい。
【００８９】
絶対マッピング方式の入力装置を通じてユーザ操作が入力されると、制御部２２０はディスプレイ部２１０の画面内でユーザ操作が入力された地点に対応する地点にカーソルを移動させることができる。
【００９０】
特に、絶対マッピング方式の入力装置を通じてカーソルを移動する場合、カーソルがディスプレイ画面内で連続的に移動するのではない、不連続的に移動することができるため、ユーザがカーソルを失う問題点が発生する。よって、制御部２２０は、カーソルが移動された地点をより簡易に確認するために、カーソル移動を示すための多様なアニメーション効果を表示することができる。
【００９１】
本発明の一実施形態として、図１０（ａ）に示すように、ディスプレイ画面内の第１地点ｘ１、ｙ１にカーソル１０１０がディスプレイされた場合、絶対マッピング方式の入力装置を通じてディスプレイ画面の第２地点ｘ２、ｙ２へのカーソル移動のためのユーザ操作（例えば、入力装置のタッチスクリーンに第２地点ｘ２、ｙ２に対応する地点をタッチするユーザ操作）が入力されると、制御部２２０はカーソル１０１０をディスプレイ画面の第２地点ｘ２、ｙ２に移動させる。このとき、制御部２２０は、カーソル１０１０をディスプレイ画面の第２地点を移動する間、図１０の（ｂ）に示すように、第１地点ｘ１、ｙ１から第２地点ｘ２、ｙ２にまでカーソル１０１０が次第に濃くなりつつ移動するアニメーション効果とともにディスプレイするようにディスプレイ部２１０を制御することができる。
【００９２】
本発明の更に別の実施形態として、図１１の（ｂ）に示すように、ディスプレイ画面内の第１地点ｘ１、ｙ１にカーソル１１１０がディスプレイされた場合、絶対マッピング方式の入力装置を通じてディスプレイ画面の第２地点ｘ２、ｙ２へのカーソル移動のためのユーザ操作（例えば、入力装置のタッチスクリーンに第２地点ｘ２、ｙ２に対応する地点をタッチするユーザ操作）が入力されると、制御部２２０はカーソル１１１０をディスプレイ画面の第２地点ｘ２、ｙ２に移動させる。このとき、制御部２２０は、図１０の（ｂ）にディスプレイするように、第２地点にディスプレイされたカーソル１１１０の周囲にカーソル１１１０に対応する形状のアニメーション効果１１２０を同時にディスプレイすることができる。そして、制御部２２０は、時間が経過するにつれ、図１０の（ｃ）及び図１０の（ｄ）に示すように、アニメーション効果１１２０の大きさを次第に減らし、予め設定された時間が経過するにつれ、図１０の（ｅ）に示すように、アニメーション効果１１２０を除去し、第２地点ｘ２、ｙ２にカーソル１１１０のみがディスプレイされるようにディスプレイ部２１０を制御することができる。
【００９３】
上述のように、絶対マッピング方式の入力装置を通じて入力されたユーザ操作によって、カーソルが不連続的に移動する場合、アニメーション効果を同時にディスプレイすることにより、ユーザはカーソルの移動位置及び方向をより簡易に認知することができるようになる。
【００９４】
一方、上述の実施形態では、絶対マッピング方式の入力装置を通じてユーザ操作が入力されてカーソルが不連続的に移動する実施形態について説明したが、それは一実施形態に過ぎず、カーソルが不連続的に移動する別の実施形態でも本発明の技術的思想が適用されてよい。例えば、相対マッピング方式の入力装置を通じてユーザ操作を入力する途中に入力装置を変更して絶対マッピング方式の入力装置を用いてユーザ操作を入力するようになる場合、カーソルが不連続的に移動されると、上述のように、カーソル移動のアニメーション効果を同時にディスプレイすることができる。
【００９５】
一方、上述の多様な実施形態に係るディスプレイ装置の制御方法は、プログラムで実現されてディスプレイ装置に提供されてよい。
【００９６】
具体的には、カーソル及び選択可能なアイコンをディスプレイするステップと、前記入力装置を通じて入力されたユーザ操作に応じてカーソルを移動するステップと、前記カーソルが前記アイコンの位置を基準に予め設定された領域内に移動されると、前記カーソルを除去し、前記アイコンの表示状態を変更するステップとを含むプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【００９７】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【００９８】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００９９】
１００、２００  ディスプレイ装置
１１０、２１０  ディスプレイ部
１２０  制御部
１３０、２３０  入力装置
２１０  ディスプレイ部
２２１  ＲＡＭ
２２２  ＲＯＭ
２２３  グラフィック処理部
２２４  メインＣＰＵ
２２５−１  第１インターフェース
２２５−ｎ  第ｎインターフェース
２４０  通信部
２５０  映像受信部
２６０  スピーカ
２７０  保存部
２７１  ベースモジュール
２７１−１  ストレージモジュール
２７１−２  セキュリティモジュール
２７１−３  ネットワークモジュール
２７２  センシングモジュール
２７３  通信モジュール
２７３−１  メッセージングモジュール
２７３−２  電話モジュール
２７４  プレゼンテーションモジュール
２７４−１  マルチメディアモジュール
２７４−２  ＵＩレンダリングモジュール
２７５  ウェブブラウザモジュール
２７６  サービスモジュール
２８０  オーディオ処理部
２９０  ビデオ処理部
４１０、７１０、１０１０、１１１０  カーソル
４２０−１〜４２０−１０、
５２０−１〜５２０−１０、
６２０−１〜６２０−１０、
７２０−１〜７２０−１０、
８２０−１〜８２０−１０  アイコン
１１２０  アニメーション効果
【図１】
2014035772.tif 000003
【図２】
2014035772.tif 000004
【図３】
2014035772.tif 000005
【図４】
2014035772.tif 000006
【図５】
2014035772.tif 000007
【図６】
2014035772.tif 000008
【図７】
2014035772.tif 000009
【図８】
2014035772.tif 000010
【図９】
2014035772.tif 000011
【図１０】
2014035772.tif 000012
【図１１】
2014035772.tif 000013